(57)【特許請求の範囲】
【請求項１】
便鉢部を有する便器本体を備え、
前記便鉢部は、汚物を受けるための受け面部と、前記受け面部の上縁部に接続されるリム部と、前記受け面部の下縁部から下方に窪んで形成される凹部と、を有し、
前記リム部には、前記リム部に沿って洗浄水を吐水する第１吐水口及び第２吐水口が設けられ、
前記便鉢部は、前記第２吐水口から吐出される第２洗浄水が、前記第１吐水口から吐出される第１洗浄水と合流して前記凹部に落下する結合流を形成するように構成され、
前記便鉢部は、前記第１洗浄水の水勢より小さい水勢の前記第２洗浄水が前記第１洗浄水と同じ旋回方向に吐出され、前記第２洗浄水が前記第１吐水口と前記凹部との間の領域で前記第１洗浄水と合流するように構成されることを特徴とする水洗大便器。
【請求項２】
前記便鉢部は、前記第１洗浄水が旋回方向に吐水され、
前記第１洗浄水が前記第２洗浄水と合流することによって前記凹部に向かう結合流を形成するように構成されることを特徴とする請求項１に記載の水洗大便器。
【請求項３】
前記便鉢部は、前記第２洗浄水が、前記第１洗浄水の進行方向に対して横向きに前記第１洗浄水と合流するように構成されることを特徴とする請求項１または２に記載の水洗大便器。
【請求項４】
前記便鉢部は、前記第２洗浄水が、前記結合流とは別に、前記凹部に落下する別の主流を形成するように構成されることを特徴とする請求項１から３のいずれかに記載の水洗大便器。
【請求項５】
前記第１吐水口には、前記第１洗浄水の一部を内側に拡散する拡散部が設けられることを特徴とする請求項１から４のいずれかに記載の水洗大便器。
【請求項６】
前記第１吐水口と前記第２吐水口とは、平面視において、前記凹部より後方に設けられることを特徴とする請求項１から５のいずれかに記載の水洗大便器。
【請求項７】
前記リム部には前記第１洗浄水が流れる通水路が設けられ、
前記通水路の前端側半分の範囲は、上方が開かれていることを特徴とする請求項１から６のいずれかに記載の水洗大便器。
【発明の詳細な説明】
【技術分野】
【０００１】
本発明は、少ない洗浄水でも良好な排出力を実現する水洗大便器に関する。
【背景技術】
【０００２】
近年、大便器の便鉢部内を洗浄するための洗浄方式に関しては種々の検討がなされている。特許文献１には、ボウル状の汚物受け面の下方に形成された凹部と、リム部と、二つの吐水部と、を備え、二つの吐水部から吐水された洗浄水の主流が凹部に流入する水洗大便器が開示されている。一方で、このような水洗大便器には水資源の有効活用のため、より少ない水量で洗浄できることが求められている。
【先行技術文献】
【特許文献】
【０００３】
【特許文献１】特開２０１２−２０２１４３号公報
【発明の概要】
【発明が解決しようとする課題】
【０００４】
ところで、特許文献１の図１には、二つのリム吐水部からの洗浄水の流入経路が示されている。この水洗式便器では、第１吐水口から吐水される洗浄水の全ては、リム通水路に沿って流れ、便鉢部の表面全体に洗浄水を確実に流すことでその表面を良好に洗浄する。その一方で、第２吐水口から吐水される洗浄水は、流れ変更部の作用により凹部に向けて勢いよく流下して凹部内の汚物を良好に排出する排出力を確保している。
【０００５】
しかし、今後、節水による洗浄水量の減少や、水洗式便器のローシルエット化に伴うタンク水位の低下によって水勢及び流量が低下して、第２吐水口から吐水される洗浄水だけでは、汚物の排出力が不足する可能性がある。このような観点のもとで検討すると、特許文献１の水洗式便器は、少ない洗浄水でも良好な排出力を確保するための特別な工夫がなされておらず、この点で改善の余地があった。
【０００６】
本発明は、このような課題に鑑みてなされ、その目的は、吐水口から吐水される洗浄水流れをコントロールして、少ない洗浄水でも良好な排出力が得られる水洗大便器を提供することにある。
【課題を解決するための手段】
【０００７】
上記課題を解決するために、本発明のある態様の水洗大便器は、便鉢部を有する便器本体を備える。便鉢部は、汚物を受けるための受け面部と、受け面部の上縁部に接続されるリム部と、受け面部の下縁部から下方に窪んで形成される凹部と、を有する。リム部には、リム部に沿って洗浄水を吐水する第１吐水口及び第２吐水口が設けられ、便鉢部は、第２吐水口から吐出される第２洗浄水が、第１吐水口から吐出される第１洗浄水と合流して凹部に落下する結合流を形成するように構成され、便鉢部は、第１洗浄水の水勢より小さい水勢の第２洗浄水が第１洗浄水と同じ旋回方向に吐出され、第２洗浄水が第１吐水口と凹部との間の領域で第１洗浄水と合流するように構成される。
【０００８】
この態様によると、第２吐水口から吐出される洗浄水は、第１吐水口から吐出される洗浄水と合流して凹部に勢いよく落下させることができるから、汚物の排出力の不足を抑制することができる。
【発明の効果】
【０００９】
本発明によれば、少ない洗浄水でも汚物を良好に排出する排出力が得られる水洗大便器を提供できる。
【図面の簡単な説明】
【００１０】
【図１】実施形態に係る水洗大便器の側断面図である。
【図２】実施形態に係る水洗大便器の平面図である。
【図３】実施形態に係る水洗大便器のＡ−Ａ線断面図である。
【図４】実施形態に係る水洗大便器の第２吐水口の周辺の水流を説明する模式図である。
【図５】実施形態に係る水洗大便器の第１吐水口の周辺の水流を説明する模式図である。
【図６】実施形態に係る水洗大便器の分配給水管の周辺を拡大して示す断面図である。
【図７】第２実施形態に係る水洗大便器の平面図である。
【図８】第２実施形態に係る水洗大便器のＡ−Ａ線断面図である。
【発明を実施するための形態】
【００１１】
以下、本発明を好適な実施の形態をもとに図１から８を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
図１は本実施形態に係る水洗大便器１００の側断面図であり、図２は水洗大便器１００の平面図、図３は図１のＡ−Ａ線に沿った水平面で切断したときの水洗大便器１００の断面図である。
以下、図２に示す様に、水洗大便器１００の左右方向をＸ軸と、水洗大便器１００の前後方向をＹ軸、高さ方向をＺ軸と定める。Ｘ軸正方向を「右方向」、Ｘ軸負方向を「左方向」とする。また、左右の一方向を第１方向というとき、左右の他方向を第２方向という。実施の形態では、左方向を第１方向、右方向を第２方向としている。
【００１３】
（水洗大便器）
水洗大便器１００は、陶器を素材とする便器本体１０２を備える。便器本体１０２の上方には、図示しないが、局部洗浄装置等の温水洗浄用装置を収めたボックスや、ボックスに上下に回動可能に支持される便蓋及び便座が配置される。
【００１４】
（便器本体）
便器本体１０２は、便鉢部１１０、排水路管部１１２、周壁部１１４を有する。排水路管部１１２は、便鉢部１１０の下部に形成される。周壁部１１４は、便鉢部１１０や排水路管部１１２などの内部構造を遮蔽する。
【００１５】
排水路管部１１２は、便鉢部１１０との接続部分において封水部１１６ｅを形成する。封水部１１６ｅには、常時、滞留水が溜められており、これにより排水路管部１１２の臭いを遮断する。封水部１１６ｅに落ちた汚物は、滞留水とともに洗浄水によって外部に押し出される。
【００１６】
以下、図２に示すように、平面視において、便器本体１０２の外面部分の左右寸法Ｌｘを二等分して前後方向に沿って延びる直線を便器本体１０２の左右の中心線Ｍ１という。また、便鉢部１１０の内面部分の前後寸法Ｌｙを二等分して左右方向に沿って延びる直線を便鉢部１１０の前後の中心線Ｎ１という。また、凹部１１６の後端部１１６ｊを通り左右方向に沿って延びる直線を直線Ｎ２という。
【００１７】
（便鉢部）
便鉢部１１０は、平面視にて左右寸法より前後寸法が大きくなるような卵形状に形成される。便鉢部１１０は、汚物を受けるための鉢状の受け面部１３０と、受け面部１３０の下縁部から下方に窪んで形成される凹部１１６と、受け面部１３０の上縁側に接続されるリム部１０８と、を備える。リム部１０８は便鉢部１１０の上部周縁部に設けられる。リム部１０８の上端面部１０８ａは、便座の支持面となるように平坦化されている。受け面部１３０は、中心側に向けて下り勾配で傾斜するように形成される。凹部１１６は有底状に形成され、その下方には封水部１１６ｅの入口が開口する。
【００１８】
凹部１１６は、平面視において、前後寸法が左右寸法より長い略楕円形または略多角形の形状を有する。凹部１１６は、前端部１１６ｆと、前端部１１６ｆから後方左側に延在する左立壁２０と、前端部１１６ｆから後方右側に延在する右立壁２２と、左立壁２０と右立壁２２の間に設けられる後立壁２４と、を有する。左立壁２０と右立壁２２と後立壁２４の三つの立壁を総称するときは「立壁２６」という。図２では、凹部１１６の前端部１１６ｆが中心線Ｍ１上に位置する。
【００１９】
特に、凹部１１６は、左立壁２０と右立壁２２とがそれぞれ前方側と下方側との間で屈曲して前後に分かれており、凹部１１６は、平面視にて、略五角形の形状を有する。左立壁２０の前方側からは後述する結合流１７２が凹部１１６に流下し、左立壁２０の後方側からは後述する第２内向主流１６４ｂが凹部１１６に流下する。
なお、凹部１１６の立壁２６はそれぞれ弧状に形成され、立壁２６の曲率半径が前端部１１６ｆの曲率半径より大きく形成されてもよい。
【００２０】
（リム導水路）
図２に示すように、リム部１０８には、主に後方左寄りに設けられる第１リム導水路１２４ａと、主に後方右寄りに設けられる第２リム導水路１２４ｂの二つの導水路が形成される。第１リム導水路１２４ａと、第２リム導水路１２４ｂの二つの導水路を総称するときは「導水路１２４」という。
【００２１】
（吐水口）
リム部１０８には、第１吐水口１２２ａと、第２吐水口１２２ｂの二つの吐水口が形成される。第１吐水口１２２ａと、第２吐水口１２２ｂの二つの吐水口を総称するときは「吐水口１２２」という。吐水口１２２については後述する。吐水口１２２は導水路１２４に形成され後述するリム通水路１２０に連続するようにリム通水路１２０に向けて開口している。第１吐水口１２２ａの右側には、洗浄水の流れの一部を内向きに拡散するための拡散部１３８が設けられる。拡散部１３８については後述する。
【００２２】
第１吐水口１２２ａは第１リム導水路１２４ａの下流端に設けられ、第２吐水口１２２ｂは第２リム導水路１２４ｂの下流端に設けられる。第２リム導水路１２４ｂの第２吐水口１２２ｂの両側には、洗浄水の流れを導くための壁部１３２ａ、１３２ｂが設けられる。
【００２３】
図３に示すように、水洗大便器１００は、入口部３８ｃから二股に接続される第１分配管３８ａと第２分配管３８ｂとを有する分配給水管３８を備える。洗浄水供給装置（不図示）から分配給水管３８に供給される洗浄水は、第１分配管３８ａが接続される第１リム導水路１２４ａと、第２分配管３８ｂが接続される第２リム導水路１２４ｂのそれぞれに供給される。
【００２４】
リム導水路１２４に供給された洗浄水は、吐水口１２２から後述するリム通水路１２０に前向きに吐水され、リム通水路１２０に沿って周方向に旋回する。以下、洗浄水の周方向に旋回する方向を単に「旋回方向」という。
【００２５】
（リム通水路）
リム部１０８には、二つの吐水口１２２のそれぞれから便鉢部１１０の周方向に延びるように形成される第１リム通水路１２０ａと第２リム通水路１２０ｂが形成される。二つのリム通水路１２０ａと１２０ｂを総称するときは「リム通水路１２０」という。
【００２６】
リム通水路１２０はリム部１０８の内面に沿って周設される。特に、第１リム通水路１２０ａは、第１吐水口１２２ａから旋回方向下流側に第２吐水口１２２ｂの近傍まで周方向に延設され、第２リム通水路１２０ｂは、第２吐水口１２２ｂから旋回方向下流側に第１吐水口１２２ａの近傍まで周方向に延設される。
【００２７】
リム通水路１２０は吐水口１２２から吐出される洗浄水を旋回させるように形成される。リム通水路１２０は、受け面部１３０の上端縁１２６ｃから便鉢部１１０の外側に向かって延びる棚部１２６ｂと、棚部１２６ｂの外周端部から立ち上がる側壁部１２６ａとを有している。
【００２８】
リム通水路１２０には、部分的にまたは全体的に、側壁部１２６ａの上端部から内側に延びて上方に張り出すオーバーハング部が設けられてもよい。また、水洗大便器１００では、少なくともリム通水路１２０の前端側半分の範囲（中心線Ｎ１より前側の範囲）で、通水路１２０の上方が開かれており、実質的にオーバーハング部が設けられない非配設状態にされる。この場合、通水路１２０の清掃の手間が少なくなる。
【００２９】
（吐水口の配置）
次に、吐水口の配置を説明する。
二つの吐水口を有する場合に、少ない洗浄水で凹部１１６の汚物の排出力を改善する観点では、第２吐水口１２２ｂから吐出される洗浄水に第１吐水口１２２ａの洗浄水が合流して強い勢いで凹部１１６に落下させる構成が好ましい。この観点によれば、第１吐水口１２２ａが第２吐水口１２２ｂの吐水方向側に位置する構成が効果的である。
【００３０】
水洗大便器１００では、平面視において、第１吐水口１２２ａが便鉢部１１０の前後の中心線Ｎ１より後方に設けられる。特に、第１吐水口１２２ａは、平面視において、中心線Ｍ１の左方に設けられ、直線Ｎ２より後方に位置する部分を有し、第２吐水口１２２ｂの吐水方向の延長線に向かって開口する。また、第２吐水口１２２ｂは、平面視において、中心線Ｍ１の右方であって後立壁の２４の後方に形成される。特に、第２吐水口１２２ｂは、平面視において、直線Ｎ２より後方に位置して、第１吐水口１２２ａの吐水方向の延長線に向かって開口する。
【００３１】
水洗大便器１００では、平面視において、第１吐水口１２２ａと第２吐水口１２２ｂは凹部１１６より後方に設けられる。
【００３２】
第１吐水口１２２ａと第２吐水口１２２ｂがこのように配置されることによって、第１吐水口１２２ａの吐水の流れの延長線が第２吐水口１２２ｂの吐水の流れの延長線と交差するから、これらが合流して凹部１１６に落下する流れを形成できる。
【００３３】
（水流）
次に図３を参照して、洗浄水の水流を説明する。図３は、便鉢部１１０の中における洗浄水の流れ方を模式的に示す。第１リム導水路１２４ａに供給された洗浄水１５８ａは第１吐水口１２２ａから前向きに第１リム通水路１２０ａに吐水され、第１リム通水路１２０ａに沿って旋回する第１旋回主流１６２ａと、第１リム通水路１２０ａから内側に向かって流れる第１内向主流１６４ａと、を形成する。第１旋回主流１６２ａと第１内向主流１６４ａを総称するときは「第１洗浄水１６８ａ」という。
【００３４】
第２リム導水路１２４ｂに供給された洗浄水１５８ｂは第２吐水口１２２ｂから第２リム通水路１２０ｂに吐水され、第２リム通水路１２０ｂに沿って旋回する第２旋回主流１６２ｂと、第２リム通水路１２０ｂから内側に向かう流れである第２内向主流１６４ｂと、を形成する。第２旋回主流１６２ｂと第２内向主流１６４ｂを総称するときは「第２洗浄水１６８ｂ」という。なお、洗浄水の主流とは、洗浄水の多くの割合が同様に流れる主な流れを意味し，一つの吐水口の吐水流が複数の主流を形成することがある。洗浄水の主流は、太い束となって流れることがあり、また物体の表面を膜状に流れることがある。
【００３５】
第１旋回主流１６２ａは、旋回しながら徐々に受け面部１３０に落下し、凹部１１６に向かって流れる落下水流１９０を形成する。落下水流１９０は受け面部１３０の表面に膜状に流れながら受け面部１３０を広く洗浄する。第１旋回主流１６２ａの一部は、旋回したまま凹部１１６に進入して立壁２６に沿って旋回し、反時計回りに横旋回する渦１８８に合流する。渦１８８は汚物を封水部１１６ｅの中央に強力に集めて排水路管部１１２から排出する（図１も参照）。
【００３６】
第２旋回主流１６２ｂは、旋回しながら徐々に受け面部１３０に落下し、第１吐水口１２２ａと凹部１１６の間の領域で第１内向主流１６４ａにその進行方向に対して横向きに合流して結合流１７２を形成する。つまり、第１内向主流１６４ａは第２旋回主流１６２ｂが衝突することで、凹部１１６に向かう結合流１７２を形成する。なお、第１内向主流１６４ａが凹部１１６に向かって吐出され、その第１内向主流１６４ａに第２旋回主流１６２ｂが合流して結合流１７２の水勢を増すように構成してもよい。
【００３７】
特に、水洗大便器１００は、前後方向において、凹部１１６の前後寸法Ｌｃを二等分して左右方向に沿って延びる直線Ｎ３より後方の領域において第１内向主流１６４ａに第２旋回主流１６２ｂが衝突するように合流する。第２旋回主流１６２ｂの殆どが結合流１７２に合流するから、結合流１７２は太い束の水流となって凹部１１６に流れる。
【００３８】
第２旋回主流１６２ｂを内向きに曲げやすくする観点から、第１内向主流１６４ａと第２旋回主流１６２ｂとが合流する部分でのこれらの進行方向がなす角度θｓは、好ましくは３０度以上、より好ましくは４５度以上、さらに好ましくは６０度以上にされる。結合流１７２の水勢を維持する観点から、角度θｓは、好ましくは１５０度以下、より好ましくは１２０度以下にされる。
【００３９】
結合流１７２は、主に左立壁２０の前方側から凹部１１６に勢いよく流下して、左立壁２０に沿って前方に流れ、前端部１１６ｆに衝突して下向きに流れる下向流１８６を形成する。下向流１８６は、凹部１１６内の汚物の封水部１１６ｅから排水路管部１１２への排出を促進する。
【００４０】
第２内向主流１６４ｂは、旋回しながら凹部１１６に向けて落下し、結合流１７２とは別に、後立壁２４と左立壁２０から凹部１１６に勢いよく流下して、主に凹部１１６の中で結合流１７２に合流し、下向流１８６を形成する。特に、第２内向主流１６４ｂは第１内向主流１６４ａに合流する前の非合流の状態で凹部１１６に落下し、主に凹部１１６の中で結合流１７２に合流するから、結合流１７２の水量や水勢を増やすことができる。
【００４１】
このように、下向流１８６は、第２吐水口１２２ｂの第２旋回主流１６２ｂ及び第２内向主流１６４ｂに第１吐水口１２２ａの第１内向主流１６４ａが合流する結合流１７２によって形成されるから、その水勢や水量が増えて良好な排出力を発揮することができる。なお、図３では渦１８８と下向流１８６とを分離して表示しているが、実際は、これらが一体になって立体的な流動を形成する。
【００４２】
第２旋回主流１６２ｂの水量や水勢が過度に大きいと第１内向主流１６４ａに合流した後に凹部１１６に落下する水量が少なくなる懸念がある。水洗大便器１００では、第１内向主流１６４ａの水量と水勢は第２旋回主流１６２ｂの水量と水勢よりそれぞれ大きくされる。第２旋回主流１６２ｂの水量や水勢を小さくするために、第２旋回主流１６２ｂの水量と水勢は第２内向主流１６４ｂの水量と水勢よりそれぞれ小さくされる。この結果、第２旋回主流１６２ｂの水勢が小さくなり、第２内向主流１６４ｂの水勢は大きくなる。
【００４３】
また、第１旋回主流１６２ａの水量や水勢を強くして受け面部１３０を良好に洗浄するために、第１旋回主流１６２ａの水量と水勢は第１内向主流１６４ａの水量と水勢よりそれぞれ大きくされる。
【００４４】
図４は実施形態に係る水洗大便器の第２吐水口１２２ｂの周辺の水流を説明する模式図である。図４では洗浄水１５８ｂの主な拡散領域を破線１５８ｃ、１５８ｄで示している。第２分配管３８ｂの開口３８ｍから第２リム導水路１２４ｂに供給された洗浄水１５８ｂは、第２リム導水路１２４ｂの壁部１３２ａと壁部１３２ｂとに沿って流れ第２吐水口１２２ｂから第２リム通水路１２０ｂに吐出され、第２旋回主流１６２ｂと第２内向主流１６４ｂとを形成する
【００４５】
（拡散部）
次に拡散部１３８について説明する。図５は第１吐水口の周辺を拡大して示す模式図である。図５では洗浄水１５８ａの主な拡散領域を破線１５８ｅ、１５８ｆで示している。図５に示すように、拡散部１３８は、水洗大便器１００を前端側から見て第１吐水口１２２ａの右側壁部１３８ｂの出口側の先端部１３８ｃの曲率半径Ｒａを大きくした曲面形状に形成される。拡散部１３８は下流側ほど開口幅が広くなるように形成された斜面であってもよい。第１リム導水路１２４ａを前向きに流れてきた洗浄水は、第１吐水口１２２ａにおいて、その一部が拡散部１３８に沿って拡散する。
【００４６】
水洗大便器１００は、拡散部１３８の形状を変更することによって、第１吐水口１２２ａから吐水される洗浄水１５８ａの方向や水勢を変更して、所望の第１旋回主流１６２ａや第１内向主流１６４ａを形成することができる。
【００４７】
（分配給水管）
次に分配給水管３８について説明する。図６は、図３の分配給水管３８の周辺を拡大して示す断面図である。図６は、後述する第２分配管３８ｂの先端部３８ｈの一部を断面で示している。図６に示すように、分配給水管３８は、分岐部３８ｄと、分岐部３８ｄから上方に延伸する管状の入口部３８ｃと、分岐部３８ｄから左方に延伸する管状の第１分配管３８ａと、分岐部３８ｄから右方に延伸する管状の第２分配管３８ｂと、が一体に、例えば樹脂材料から形成される。入口部３８ｃに供給される洗浄水は、分岐部３８ｄから第１分配管３８ａと第２分配管３８ｂとに分かれて流れる。
【００４８】
第１分配管３８ａと第２分配管３８ｂには、折り曲げ可能に形成される関節部または蛇腹部が設けられる。特に、第１分配管３８ａの途中には２つの関節部３８ｅが設けられ、第２分配管３８ｂの途中には蛇腹部３８ｆが設けられる。第１分配管３８ａの先端部３８ｇは第１リム導水路１２４ａに挿入された状態で固定される。第２分配管３８ｂの先端部３８ｈは、第２リム導水路１２４ｂに挿入された状態で固定される。
【００４９】
第１分配管３８ａは、その先端部３８ｇの突端に前向きの開口３８ｋが設けられ、第１リム導水路１２４ａに略前向きの洗浄水を吐水するように形成される。第２分配管３８ｂは、その先端部３８ｈの突端が塞がれて左側方に開口３８ｍが設けられ、第２リム導水路１２４ｂに左向きの洗浄水を吐水するように形成される。
【００５０】
第２分配管３８ｂの先端部３８ｈは、上下寸法が左右寸法より薄い扁平形状を有し、先端部３８ｈの途中に左右方向に拡幅される拡幅部３８ｊが形成される。拡幅部３８ｊは、その左右方向の両端が第２リム導水路１２４ｂの両壁に接触して、第２リム導水路１２４ｂを塞ぐように形成される。拡幅部３８ｊが第２リム導水路１２４ｂを塞ぐから、第２分配管３８ｂから供給された洗浄水の第２リム導水路１２４ｂの後方側への逆流を抑制することができる。
【００５１】
拡幅部は第１分配管３８ａにも設けることができる。水洗大便器１００では、第１リム導水路１２４ａは略ストレート形状で流水抵抗が小さいから、洗浄水の後方側への逆流は少ないため、第１分配管３８ａに拡幅部を設けていない。
【００５２】
次に、水洗大便器１００の動作を説明する。
水洗大便器１００は、所定のスイッチ、レバー等の操作部材の操作により、洗浄水供給装置から所定量の洗浄水が分配給水管３８を通じて導水路１２４に供給される。供給された洗浄水は、吐水口１２２から通水路１２０に向けて吐水され、便鉢部１１０内の汚物を洗浄水の落差を用いて凹部１１６の下部の封水部１１６ｅに押し流すと共に、便鉢部１１０内を広く洗浄する。
【００５３】
次に、本実施の形態の水洗大便器１００の特徴を説明する。
第１吐水口から洗浄水が旋回方向に吐水される場合は、凹部に向かう洗浄水が不足する懸念がある。これに対して、水洗大便器１００の便鉢部１１０は、第１洗浄水１６８ａが旋回方向に吐水され、その第１洗浄水１６８ａが第２洗浄水１６８ｂの一部と合流することによって凹部１６６に向かう結合流１７６を形成するように構成されるから、凹部１６６に向かう洗浄水の水量を増やすことができる。
【００５４】
水洗大便器１００の便鉢部１１０は、第２洗浄水１６８ｂが、第１洗浄水１６８ａの進行方向に対して横向きに第１洗浄水１６８ａと合流するように構成されるから、第２旋回主流１６２ｂが内向きに曲げられて太い束の結合流１７２を形成する。この結果、結合流１７２から形成される下向流１８６の水勢や水量が増えて良好な排出力を得ることができる。
【００５５】
第２洗浄水１６８ｂの水量や水勢が大きいと第１洗浄水１６８ａに合流した後に凹部１１６に落下する水量が少なくなる懸念がある。水洗大便器１００では、第２洗浄水１６８ｂの水量や水勢が第１洗浄水１６８ａの水量や水勢より少なくなるように構成されるから、第２洗浄水１６８ｂが横から合流しても第２洗浄水１６８ｂの流れによる結合流１７２の方向への影響は小さく、結合流１７２は凹部１６６に向かって流れる。
【００５６】
水洗大便器１００の便鉢部１１０は、第２洗浄水１６８ｂが、結合流１７２とは別に、凹部１１６に落下する第２内向主流１６４ｂを形成するように構成されるから、第２内向主流１６４ｂは、凹部１１６に勢いよく流下して凹部１１６の中で結合流１７２に合流することによって、結合流１７２の水勢や水量が増えて下向流１８６を強化して良好な排出力を得ることができる。
【００５７】
水洗大便器１００は、第１吐水口１２２ａの内側には、第１洗浄水１６８ａの一部を内側に拡散する拡散部１３８が設けられるから、第１吐水口１２２ａから吐き出される洗浄水が平面方向に拡散して、所望の第１旋回主流１６２ａや第１内向主流１６４ａを形成することができる。
【００５８】
水洗大便器１００は、第１吐水口１２２ａと第２吐水口１２２ｂとが平面視において、凹部１１６より後方に設けられるから、第２吐水口１２２ｂから吐水した洗浄水が第１吐水口１２２ａの近傍に到達して第１吐水口１２２ａの吐水の一部と結合することで強力な結合流１７２を形成することができる。
【００５９】
リム通水路の棚部や側壁部は洗浄水が流れることで比較的清潔に保たれるが、オーバーハング部の裏側は洗浄水との接触が少ないから汚れや水分が付着したまま残ることがある。このため、オーバーハング部の裏側を清潔に保つために短い周期で清掃する手間がかかる。
【００６０】
これに対して水洗大便器１００は、第１リム通水路１２０ａの前端側半分の範囲は、上方が開かれているから、リム部１０８への汚れの残留が抑制され、清掃の手間を減らすことができる。
【００６１】
（第２実施形態）
次に本発明の第２実施形態にかかる水洗大便器２００について説明する。図７は図２に対応する水洗大便器２００の平面図であり、図８は図３に対応する水洗大便器２００のＡ−Ａ線断面図である。水洗大便器２００は、水洗大便器１００に対して、第１吐水口１２２ａが後方に後退して位置し、第２リム通水路１２０ｂの一部にオーバーハング部１１８が設けられている点で相違し、その他の構成およびその作用は同様であり、重複する説明は省略する。
【００６２】
図７に示すように、水洗大便器２００は、水洗大便器１００と比較して、第１吐水口１２２ａが後側に位置する。特に、第２吐水口１２２ｂの前端部１３４を通り左右方向に沿って延びる直線を直線Ｎ４というとき、第１吐水口１２２ａは直線Ｎ４より後側に位置する部分を含む。また、図７に示すように、第２吐水口１２２ｂは略左向きに開口している。
【００６３】
次に図８を参照して、水洗大便器２００の洗浄水の水流を説明する。図８は、便鉢部１１０の中における洗浄水の流れ方を模式的に示している。図８に示すように、第１リム導水路１２４ａに供給された洗浄水１５８ａは第１吐水口１２２ａから第１リム通水路１２０ａに吐水され、第１リム通水路１２０ａに沿って旋回する第１旋回主流１６２ａと、第１リム通水路１２０ａから内側に向かって流れる第１内向主流１６４ａと、を形成する。
【００６４】
また、図８に示すように、第２リム導水路１２４ｂに供給された洗浄水１５８ｂは第２吐水口１２２ｂから第２リム通水路１２０ｂに吐水され、第２リム通水路１２０ｂに沿って旋回する第２旋回主流１６２ｂを形成する。前述した構成によって、第２吐水口１２２ｂから吐水される第２旋回主流１６２ｂは、第１吐水口１２２ａの前側の領域に向かって流れ、その大部分がその領域の近傍で第１吐水口１２２ａから吐水される第１内向主流１６４ａに合流する。
【００６５】
図８に示すように、第１旋回主流１６２ａは、旋回しながら徐々に受け面部１３０に落下し、水洗大便器１００と同様に、汚物を封水部１１６ｅの中央に強力に集めて排水路管部１１２から排出する。第２旋回主流１６２ｂは、旋回しながら徐々に受け面部１３０に落下し、水洗大便器１００と同様に、第１吐水口１２２ａと凹部１１６の間の領域で第１内向主流１６４ａにその進行方向に対して横向きに合流して結合流１７２を形成する。結合流１７２は、水洗大便器１００と同様に、凹部１１６の中で下向に流れる下向流１８６を形成することによって汚物の封水部１１６ｅから排水路管部１１２への排出を促進する。
【００６６】
図８に示すように、水洗大便器２００には拡散部１３８が設けられ、拡散部１３８は、水洗大便器１００についてした説明と同様に洗浄水１５８ａの内側への拡散を増やすことができる。
【００６７】
図７に示すように、水洗大便器２００の第２リム通水路１２０ｂの一部にオーバーハング部１１８が設けられる。オーバーハング部１１８は、第２吐水口１２２ｂから第１吐水口１２２ａの前側の領域に亘って、リム通水路１２０の上側を庇のように覆う。オーバーハング部１１８は、第１吐水口１２２ａの前側の領域を覆うことによって、意匠性を向上することができる。
【００６８】
水洗大便器２００は、水洗大便器１００と同様に動作し、水洗大便器１００と同様の特徴を備える。
【００６９】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００７０】
水洗大便器１００および２００は、洗浄方式として洗い落し式を用いる例を説明したが、サイホン式、サイホンゼット式等の他方式と組み合わせた洗浄方式により便鉢部１１０内を洗浄してもよい。便器本体１０２はトイレ室の床面上に設置される床置き式便器を例に説明したが、壁掛け式便器でもよい。また、便器本体１０２は陶器の他に樹脂等を素材としてもよい。
【００７１】
水洗大便器１００および２００では、吐水口が反時計回りの旋回水流を生成する例について説明したが、例えば左右を入れ替えて時計回りの水流を生成するように構成してもよい。
【００７２】
水洗大便器２００では、第２リム通水路１２０ｂの一部にのみオーバーハング部１１８を設け、少なくともリム通水路１２０の前端側半分の範囲にはオーバーハング部を設けない非配設の例について説明したがこれに限定されない。リム通水路には、オーバーハング部が全く非配設であってもよく、必要に応じて部分的にまたは全体的に、オーバーハング部が設けられてもよい。この場合、洗浄水が流れる際、オーバーハング部によって洗浄水が外側への飛散を抑制することができる。
【００７３】
本発明の実施の形態では、リム部に吐水口が二つある例について説明したが、二つの吐水口の他に補助的に別の吐水手段を設けてもよい。
【符号の説明】
【００７４】
１００  水洗大便器、  ２０  左立壁、  ２２  右立壁、  ２４  後立壁、
３８  分配給水管、  ３８ａ  第１分配管、  ３８ｂ  第２分配管、
１０２  便器本体、  １０６  上部周縁部、  １０８  リム部、
１０８ａ  上端面部、  １１０  便鉢部、  １１２  排水路管部、
１１４  周壁部、  １１６  凹部、  １１６ｅ  封水部、
１２０ａ  第１リム通水路 、  １２０ｂ  第２リム通水路、
１２２ａ  第１吐水口、  １２２ｂ  第２吐水口、
１２４ａ  第１リム導水路、  １２４ｂ  第２リム導水路、
１２６ａ  側壁部、  １２６ｂ  棚部、  １３０  受け面部、
１３８  拡散部、  １６２ａ  第１旋回主流、
１６２ｂ  第２旋回主流、  １６４ａ  第１内向主流、
１６４ｂ  第２内向主流、  １６８ａ  第１洗浄水、
１６８ｂ  第２洗浄水、  １７２  結合流、  １８６  下向流、
１８８  渦、  １９０  落下水流。
【図１】
0006756469.tif 000002
【図２】
0006756469.tif 000003
【図３】
0006756469.tif 000004
【図４】
0006756469.tif 000005
【図５】
0006756469.tif 000006
【図６】
0006756469.tif 000007
【図７】
0006756469.tif 000008
【図８】
0006756469.tif 000009